(57)【要約】【課題】  本体、操作体及び圧縮コイルスプリングから成る紐止め具に於いて、本体と操作体と圧縮コイルスプリングの組み立てに失敗を来たすことなく、本体と操作体と圧縮コイルスプリングの組み立てを確実且つ良好に行えるようにする。【解決手段】  スリット状の収納穴１ａ及び貫通状の紐通し穴１ｂを有する本体１と、本体１の紐通し穴１ｂに合致可能な紐通し穴２ａを有し、本体１の収納穴１ａにスライド自在に挿入されて本体１から抜け止めされた板状の操作体２と、本体１の収納穴１ａの底面と操作体２との間に介装され、本体１の紐通し穴１ｂと操作体２の紐通し穴２ａとが齟齬状態になるように操作体２を本体１から抜ける方向へ附勢する圧縮コイルスプリング３とから成る紐止め具に於いて、本体１の収納穴１ａの内面に、圧縮コイルスプリング３を収納穴１ａの中央位置へ案内して収納穴１ａ内に起立姿勢で保持するための保持部１ｃを形成する。【選択図】      図１
2009183447.tif 000002
【特許請求の範囲】
【請求項１】
スリット状の収納穴（１ａ）及び収納穴（１ａ）に連通する貫通状の紐通し穴（１ｂ）を有する本体（１）と、本体（１）の紐通し穴（１ｂ）に合致可能な紐通し穴（２ａ）を有し、紐通し穴（２ａ）を形成した部分が本体（１）の収納穴（１ａ）にスライド自在に挿入されて本体（１）から抜け止めされた板状の操作体（２）と、本体（１）の収納穴（１ａ）の底面と操作体（２）との間に介装され、本体（１）の紐通し穴（１ｂ）と操作体（２）の紐通し穴（２ａ）とが齟齬状態になるように操作体（２）を本体（１）から抜ける方向へ附勢する圧縮コイルスプリング（３）とから成る紐止め具に於いて、前記本体（１）の収納穴（１ａ）の内面に、圧縮コイルスプリング（３）を収納穴（１ａ）の中央位置へ案内して収納穴（１ａ）内に起立姿勢で保持するための保持部（１ｃ）を形成したことを特徴とする紐止め具。
【請求項２】
本体（１）の保持部（１ｃ）は、収納穴（１ａ）の長手方向に沿う両内面の中央位置に一定の間隔を開けて対向状に形成され、収納穴（１ａ）の中央位置に挿入された圧縮コイルスプリング（３）の周囲に位置して圧縮コイルスプリング（３）を収納穴（１ａ）内に起立姿勢で保持する四つの突条（１ｃ′）から成ることを特徴とする請求項１に記載の紐止め具。
【請求項３】
本体（１）の保持部（１ｃ）は、収納穴（１ａ）の長手方向に沿う両内面の中央位置に対向状に形成され、収納穴（１ａ）の中央位置に挿入された圧縮コイルスプリング（３）の外周部分が嵌り込んで圧縮コイルスプリング（３）を収納穴（１ａ）内に起立姿勢で保持する一対の溝状の凹部（１ｃ″）から成ることを特徴とする請求項１に記載の紐止め具。
【請求項４】
本体（１）に、収納穴（１ａ）に連通する貫通状の紐通し穴（１ｂ）を左右対称状に形成し、又、操作体（２）に、本体（１）の左右の紐通し穴（１ｂ）に夫々合致可能な紐通し穴（２ａ）を左右対称状に形成し、本体（１）の左右の紐通し穴（１ｂ）間で且つ収納穴（１ａ）の長手方向に沿う両内面の中央位置に保持部（１ｃ）を形成したことを特徴とする請求項１、請求項２又は請求項３に記載の紐止め具。
【請求項５】
操作体（２）の本体（１）の収納穴（１ａ）に挿入される部分に、圧縮コイルスプリング（３）の一端部に挿着されて圧縮コイルスプリング（３）を片持ち状態で支持する支持突起（２ｂ）を形成したことを特徴とする請求項１に記載の紐止め具。
【発明の詳細な説明】
【技術分野】
【０００１】
本発明は、ウインドブレーカー、スキーウエア、ハーフコート等の衣服の裾やウエスト、襟、フードの周縁に取り付けられる締め付け用の紐、リュックサックやナップサック等の袋物に取り付けられる締め付け用の紐、或いは紐ネクタイ等の装身用の紐に夫々装着され、紐の締め付け状態や長さを調節するのに用いる紐止め具の改良に係り、特に、スリット状の収納穴及び貫通状の紐通し穴を有する本体の前記収納穴に、本体の紐通し穴に合致可能な紐通し穴を有する板状の操作体をスライド自在に挿入して抜け止めし、本体と操作体の間に介装した圧縮コイルスプリングによって本体の紐通し穴と操作体の紐通し穴とが齟齬状態になるように操作体を本体から抜ける方向へ附勢するようにした紐止め具の改良に関するものである。
【背景技術】
【０００２】
従来、この種の紐止め具としては、例えば、意匠登録第９２３６８４号公報（特許文献１）に開示された構造のものが知られている。
即ち、前記紐止め具は、図１９乃至図２３に示す如く、スリット状の収納穴１０ａ及び収納穴１０ａに連通する貫通状の左右の紐通し穴１０ｂを有する楕円形状の本体１０と、本体１０の二つの紐通し穴１０ｂに合致可能な二つの紐通し穴１１ａを有し、紐通し穴１１ａを形成した部分が本体１０の収納穴１０ａにスライド自在に挿入されて本体１０から抜け止めされた板状の操作体１１と、本体１０の収納穴１０ａの底面と操作体１１との間に介装され、本体１０の紐通し穴１０ｂと操作体１１の紐通し穴１１ａとが齟齬状態になるように操作体１１を本体１０から抜ける方向へ附勢する圧縮コイルスプリング１２とから構成されており、指で操作体１１を圧縮コイルスプリング１２の弾性力に抗して本体１０内へ押し込むと、本体１０の紐通し穴１０ｂと操作体１１の紐通し穴１１ａとが合致し、又、操作体１１の押し込み状態を解除すると、操作体１１が圧縮コイルスプリング１２の弾性力により本体１０から抜ける方向へ移動して本体１０の紐通し穴１０ｂと操作体１１の紐通し穴１１ａとが齟齬状になるようになっている。
【０００３】
尚、図１９及び図２１に於いて、１０ｃは本体１０の片面側に形成され、収納穴１０ａに連通する縦長溝状の係止穴、１１ｂは操作体１１の片側面に形成され、本体１０の係止穴１０ｃの内面に係止されて操作体１１を本体１０の収納穴１０ａから抜け止めする抜け止め突起である。
【０００４】
而して、この紐止め具は、操作体１１を本体１０内へ押し込んで本体１０の左右の紐通し穴１０ｂと操作体１１の左右の紐通し穴１１ａとを合致させ、この状態で各紐通し穴１０ｂ，１１ａに紐を挿通した後、操作体１１の押し込みを解除すると、操作体１１が圧縮コイルスプリング１２の弾性力により本体１０から抜ける方向へ附勢されて各紐通し穴１０ｂ，１１ａが齟齬状態になり、各紐通し穴１０ｂ，１１ａの開口周縁部で紐を挾持することになる。
又、この紐止め具は、操作体１１を本体１０内へ押し込んで本体１０の左右の紐通し穴１０ｂと操作体１１の左右の紐通し穴１１ａとを合致させて紐の挾持状態を解除し、この状態で紐を引っ張るか、或いは紐止め具を紐に沿って移動させることによって紐の締め付け状態や長さを調節することができるようになっている。
【０００５】
ところで、上述した紐止め具に於いては、本体１０の収納穴１０ａが一定の幅を有するスリット状に形成され、このスリット状の収納穴１０ａの底面と操作体１１との間に圧縮コイルスプリング１２を介装する構成としているため、本体１０の収納穴１０ａ内へ圧縮コイルスプリング１２及び操作体１１を挿入して紐止め具を組み立てる際に、図２３に示す如く、圧縮コイルスプリング１２がこけた状態で本体１０の収納穴１０ａの底面と操作体１１の間に介装されることがあった。
この場合には、圧縮コイルスプリング１２の弾性力が操作体１１に作用しなくなり、操作体１１が本体１０の収納穴１０ａにフリーな状態で挿入されることになる。
その結果、組み立てた紐止め具を一度分解し、再度組み立てなければならず、紐止め具の組み立てに手数がかかると云う問題があった。
【０００６】
このように、本体１０にスリット状の収納穴１０ａを形成した紐止め具に於いては、組み立て時に圧縮コイルスプリング１２が本体１０の収納穴１０ａ内で引っ繰り返って組み立てに失敗を来たすと云う問題があった。
【特許文献１】意匠登録第９２３６８４号公報
【発明の開示】
【発明が解決しようとする課題】
【０００７】
本発明は、このような問題点に鑑みて為されたものであり、その目的は、本体と操作体と圧縮コイルスプリングの組み立てに失敗を来たすことなく、本体と操作体と圧縮コイルスプリングの組み立てを確実且つ良好に行えるようにした紐止め具を提供することにある。
【課題を解決するための手段】
【０００８】
上記目的を達成する為に、本発明の請求項１の発明は、スリット状の収納穴及び収納穴に連通する貫通状の紐通し穴を有する本体と、本体の紐通し穴に合致可能な紐通し穴を有し、紐通し穴を形成した部分が本体の収納穴にスライド自在に挿入されて本体から抜け止めされた板状の操作体と、本体の収納穴の底面と操作体との間に介装され、本体の紐通し穴と操作体の紐通し穴とが齟齬状態になるように操作体を本体から抜ける方向へ附勢する圧縮コイルスプリングとから成る紐止め具に於いて、前記本体の収納穴の内面に、圧縮コイルスプリングを収納穴の中央位置へ案内して収納穴内に起立姿勢で保持するための保持部を形成したことに特徴がある。
【０００９】
本発明の請求項２の発明は、本体の保持部が、収納穴の長手方向に沿う両内面の中央位置に一定の間隔を開けて対向状に形成され、収納穴の中央位置に挿入された圧縮コイルスプリングの周囲に位置して圧縮コイルスプリングを収納穴内に起立姿勢で保持する四つの突条から成ることに特徴がある。
【００１０】
本発明の請求項３の発明は、本体の保持部が、収納穴の長手方向に沿う両内面の中央位置に対向状に形成され、収納穴の中央位置に挿入された圧縮コイルスプリングの外周部分が嵌り込んで圧縮コイルスプリングを収納穴内に起立姿勢で保持する一対の溝状の凹部から成ることに特徴がある。
【００１１】
本発明の請求項４の発明は、本体に、収納穴に連通する貫通状の紐通し穴を左右対称状に形成し、又、操作体に、本体の左右の紐通し穴に夫々合致可能な紐通し穴を左右対称状に形成し、本体の左右の紐通し穴間で且つ収納穴の長手方向に沿う両内面の中央位置に保持部を形成したことに特徴がある。
【００１２】
本発明の請求項５の発明は、操作体の本体の収納穴に挿入される部分に、圧縮コイルスプリングの一端部に挿着されて圧縮コイルスプリングを片持ち状態で支持する支持突起を形成したことに特徴がある。
【発明の効果】
【００１３】
本発明の紐止め具は、圧縮コイルスプリングと操作体が挿入される本体のスリット状の収納穴の内面に圧縮コイルスプリングを収納穴の中央位置に案内して収納穴内に起立姿勢で保持するための保持部を設けているため、本体の収納穴内へ圧縮コイルスプリング及び操作体を挿入して紐止め具を組み立てる際に、圧縮コイルスプリングが保持部によって収納穴の中央位置へ確実且つ良好に案内されて収納穴内に起立姿勢で保持されることになる。その結果、本発明の紐止め具は、その組み立て時に圧縮コイルスプリングが本体の収納穴内で引っ繰り返ったりすると云うことがなく、圧縮コイルスプリングが本体の収納穴の底面と操作体との間に所定の姿勢で介装されることになり、本体と操作体と圧縮コイルスプリングの組み立てを確実且つ良好に行え、紐止め具の組み立てに失敗を来たすと云うことがない。
又、本発明の紐止め具は、保持部が収納穴の内面に形成した突条又は凹部から成るため、極めて簡単な構造でもって圧縮コイルスプリングを収納穴の中央位置へ案内して収納穴内に起立姿勢で保持することができる。
更に、本発明の紐止め具は、操作体に圧縮コイルスプリングの一端部が挿着されて圧縮コイルスプリングを片持ち状態で支持する支持突起を設けているため、本体と操作体と圧縮コイルスプリングの組み立てをより一層確実且つ良好に行える。
【発明を実施するための最良の形態】
【００１４】
以下、本発明の実施の形態を図面に基づいて詳細に説明する。
図１乃至図７は本発明の実施の形態に係る紐止め具を示し、当該紐止め具は、ウインドブレーカー、スキーウエア、ハーフコート等の衣服に取り付けられる締め付け用の紐、或いはリュックサックやナップサック等の袋物に取り付けられる締め付け用の紐等に夫々装着されており、各締め付け用の紐の締め付け状態や長さを調節するのに用いられるものである。
【００１５】
即ち、前記紐止め具は、図１乃至図７に示す如く、スリット状の収納穴１ａ及び収納穴１ａに連通する貫通状の紐通し穴１ｂを有する本体１と、本体１の紐通し穴１ｂに合致可能な紐通し穴２ａを有し、紐通し穴２ａを形成した部分が本体１の収納穴１ａにスライド自在に挿入されて本体１から抜け止めされた板状の操作体２と、本体１の収納穴１ａの底面と操作体２との間に介装され、本体１の紐通し穴１ｂと操作体２の紐通し穴２ａとが齟齬状態になるように操作体２を本体１から抜ける方向へ附勢する圧縮コイルスプリング３とから構成されており、指で操作体２を圧縮コイルスプリング３の弾性力に抗して本体１内へ押し込むと、図６及び図７に示すように本体１の紐通し穴１ｂと操作体２の紐通し穴２ａとが合致し、又、操作体２から指を離して操作体２の押し込み状態を解除すると、図１、図４及び図５に示すように操作体２が圧縮コイルスプリング３の弾性力により本体１から抜ける方向へ移動して本体１の紐通し穴１ｂと操作体２の紐通し穴２ａとが齟齬状になるようになっている。
【００１６】
具体的には、前記本体１は、図８乃至図１０に示す如く、金属製の型に溶解した亜鉛合金を圧入して製作した亜鉛ダイカストにより中空の楕円形状に形成されており、スリット状の収納穴１ａが本体１の長軸方向（図８（イ）の左右方向）及び短軸方向（図８（ロ）の左右方向）に沿って形成されている。
又、本体１の長軸方向の両端部には、収納穴１ａに連通して本体１の厚み方向へ貫通する紐通し穴１ｂが左右対称状に形成されている。
更に、本体１の収納穴１ａの底面中央位置には、圧縮コイルスプリング３の一端部が嵌合される窪み部１ｄが形成されていると共に、本体１の片側面中央位置には、収納穴１ａに連通する縦長溝状の係止穴１ｅが形成されている。
【００１７】
そして、前記本体１の収納穴１ａの長手方向に沿う両内面の中央位置には、圧縮コイルスプリング３を収納穴１ａの中央位置へ案内して収納穴１ａ内に起立姿勢で保持するための保持部１ｃが形成されている。
この実施の形態に於いては、保持部１ｃは、収納穴１ａの長手方向に沿う両内面の中央位置に一定の間隔を開けて対向状に形成された本体１の短軸方向に沿う四つの突条１ｃ′から成り、収納穴１ｃの中央位置に挿入された圧縮コイルスプリング３の周囲に位置して圧縮コイルスプリング３が収納穴１ａ内で引っ繰り返らないように圧縮コイルスプリング３を周囲から支えて収納穴１ａ内に起立姿勢で保持するものである。
【００１８】
前記操作体２は、図１１乃至図１３に示す如く、本体１と同様に亜鉛ダイカストにより略長方形の板状に形成されており、長手方向の両端部には、本体１の左右の紐通し穴１ｂに合致可能な紐通し穴２ａが左右対称状に形成されている。
又、操作体２の本体１の収納穴１ａへ挿入される部分には、圧縮コイルスプリング３の一端部が挿着されて圧縮コイルスプリング３を片持ち状態で支持するための支持突起２ｂが形成されている。この支持突起２ｂは、操作体２の長辺側の下端部中央位置に形成した切欠部２ｃ内に形成されており、操作体２を本体１の収納穴１ａ内へ押し込んだときに収納穴１ａの底面と干渉しないようになされている。
更に、操作体２の中央部両面には、本体１の保持部１ｃを形成する四つの突条１ｃ′が摺動自在に嵌合されて操作体２を本体１に対してスライド自在に案内するための四本のガイド溝２ｄが操作体２の短辺に沿って形成されていると共に、操作体２の片側面中央位置には、本体１の係止穴１ｅに挿入されて係止穴１ｅの内面に係止される抜け止め突起２ｅが形成されている。この抜け止め突起２ｅは、本体１の係止穴１ｅの内面に係止されて操作体２を本体１の収納穴１ａから抜け止めするためのものである。
尚、操作体２の厚み及び操作体２の長手方向の幅は、操作体２を本体１の収納穴１ａに挿入したときに操作体２が本体１に対してがたつかない程度に設定されている。
【００１９】
前記圧縮コイルスプリング３は、図１及び図４に示す如く、一端部が操作体２の支持突起２ｂに挿着されていると共に、他端部が本体１の窪み部１ｄに嵌合されており、本体１の左右の紐通し穴１ｂと操作体２の左右の紐通し穴２ａとが夫々齟齬状態になるように操作体２を本体１から抜ける方向へ附勢するものである。
【００２０】
尚、本体１及び操作体２は、亜鉛ダイカスト製品をそのままの状態で使用しても良く、或いはその表面にクロムメッキやニッケルメッキ等のメッキを施すようにしても良い。
【００２１】
そして、前記紐止め具は、操作体２の支持突起２ｂに圧縮コイルスプリング３の一端部を挿着して圧縮コイルスプリング３を操作体２に片持ち状態で支持させ、この状態で圧縮コイルスプリング３と操作体２の紐通し穴２ａを形成した部分とを本体１の収納穴１ａ内へ挿入した後、操作体２を本体１の収納穴１ａ内へ圧入して操作体２の抜け止め突起２ｅを本体１の係止穴１ｅへ挿入することにより組み立てられる。
このとき、圧縮コイルスプリング３は、図１４及び図１５に示す如く、操作体２の支持突起２ｂに片持ち状態で支持されていると共に、本体１の収納穴１ａ内面に形成した保持部１ｃにより収納穴１ａの中央位置へ案内されて収納穴１ａ内に起立姿勢で挿入されて行き、収納穴１ａ内に起立姿勢で保持されるため、紐止め具の組み立て時に圧縮コイルスプリング３が本体１の収納穴１ａ内で引っ繰り返ったりすると云うことがなく、本体１の収納穴１ａの底面と操作体２との間に所定の姿勢で介装されることになる。その結果、紐止め具の組み立てに失敗を来たすことがない。
【００２２】
上述した紐止め具に於いては、操作体２を圧縮コイルスプリング３の弾性力に抗して本体１内へ押し込んで本体１の左右の紐通し穴１ｂと操作体２の左右の紐通し穴２ａとを合致させ、この状態で各紐通し穴１ｂ，２ａに紐を挿通した後、操作体２の押し込み状態を解除すると、操作体２が圧縮コイルスプリング３の附勢力により本体１から抜ける方向へ附勢されて各紐通し穴１ｂ，２ａが齟齬状態になり、各紐通し穴１ｂ，２ａの開口周縁部で紐を挾持することになる。その結果、紐止め具及び紐は相対的に移動不能になる。
又、この紐止め具に於いては、紐を挾持した状態に於いて操作体２を本体１内へ押し込んで本体１の左右の紐通し穴１ｂと操作体２の左右の紐通し穴２ａとを合致させて紐の挾持状態を解除し、この状態で紐を引っ張るか、或いは紐止め具を紐に沿って移動させることによって紐の締め付け状態や長さを自由に調節することができる。
【００２３】
図１６乃至図１８は本発明の他の実施の形態に係る紐止め具を示し、当該紐止め具に於いては、本体１の保持部１ｃが、収納穴１ａの長手方向に沿う両内面の中央位置に対向状に形成されて収納穴１ａの中央位置に挿入された圧縮コイルスプリング３の外周部分が嵌り込む一対の溝状の凹部１ｃ″から成り、圧縮コイルスプリング３の外周部分を一対の溝状の凹部１ｃ″に嵌め込むことによって圧縮コイルスプリング３を収納穴１ａ内に起立姿勢で保持するようにしたものである。又、この紐止め具に於いては、操作体２の中央部両面のガイド溝２ｄを省略しており、その他の形状及び構造は上述した紐止め具（図１乃至図７に示す紐止め具）と同様構造に構成されている。
この紐止め具も上述した紐止め具と同様の作用効果を奏することができる。
【００２４】
尚、上記の実施の形態に於いては、本体１及び操作体２を金属材（亜鉛ダイカスト）により一体的に形成するようにしたが、他の実施の形態に於いては、本体１及び操作体２をアルミダイカストや他の金属材により一体的に形成するようにしても良く、或いは本体１及び操作体２をプラスチック材により一体的に形成するようにしても良い。
【００２５】
又、上記実施の形態に於いては、本体１を中空の楕円形状に形成したが、他の実施の形態に於いては、図示していないが、本体１を中空の長方形、中空の正方形、中空の円形等に形成するようにしても良い。
【００２６】
更に、上記の実施の形態に於いては、本体１及び操作体２に夫々紐通し穴１ｂ，２ａを左右対称状に形成したが、他の実施の形態に於いては、図示していないが、本体１及び操作体２に紐通し穴１ｂ，２ａを夫々一つずつ形成するようにしても良い。
【図面の簡単な説明】
【００２７】
【図１】本発明の実施の形態に係る紐止め具の拡大正面図である。
【図２】紐止め具の拡大平面図である。
【図３】紐止め具の拡大側面図である。
【図４】図１のＡ−Ａ線断面図である。
【図５】図１のＢ−Ｂ線断面図である。
【図６】操作体を本体内に押し込んだ状態の紐止め具の拡大正面図である。
【図７】図６のＣ−Ｃ線断面図である。
【図８】紐止め具の本体を示し、（イ）は本体の拡大正面図、（ロ）は本体の拡大平面図、（ハ）は本体の拡大側面図である。
【図９】図８（イ）のＤ−Ｄ線断面図である。
【図１０】図８（イ）のＥ−Ｅ線断面図である。
【図１１】紐止め具の操作体を示し、（イ）は操作体の拡大正面図、（ロ）は操作体の拡大平面図、（ハ）は操作体の拡大側面図である。
【図１２】図１１（イ）のＦ−Ｆ線断面図である。
【図１３】図１１（イ）のＧ−Ｇ線断面図である。
【図１４】本体と圧縮コイルスプリングと操作体の組み立て状態を示す一部破断拡大正面図である。
【図１５】本体と圧縮コイルスプリングと操作体の組み立て状態を示す拡大縦断側面図である。
【図１６】本発明の他の実施の形態に係る紐止め具の拡大正面図である。
【図１７】図１６に示す紐止め具の拡大平面図である。
【図１８】図１６のＨ−Ｈ線断面図である。
【図１９】従来の紐止め具の拡大正面図である。
【図２０】従来の紐止め具の拡大平面図である。
【図２１】図１９のＩ−Ｉ線断面図である。
【図２２】図１９のＪ−Ｊ線断面図である。
【図２３】操作体を本体内に押し込んだ状態の従来の紐止め具の拡大正面図である。
【符号の説明】
【００２８】
１は本体、１ａは収納穴、１ｂは紐通し穴、１ｃは保持部、１ｃ′は突条、１ｃ″は凹部、２は操作体、２ａは紐通し穴、２ｂは支持突起、３は圧縮コイルスプリング。
【図１】
2009183447.tif 000003
【図２】
2009183447.tif 000004
【図３】
2009183447.tif 000005
【図４】
2009183447.tif 000006
【図５】
2009183447.tif 000007
【図６】
2009183447.tif 000008
【図７】
2009183447.tif 000009
【図８】
2009183447.tif 000010
【図９】
2009183447.tif 000011
【図１０】
2009183447.tif 000012
【図１１】
2009183447.tif 000013
【図１２】
2009183447.tif 000014
【図１３】
2009183447.tif 000015
【図１４】
2009183447.tif 000016
【図１５】
2009183447.tif 000017
【図１６】
2009183447.tif 000018
【図１７】
2009183447.tif 000019
【図１８】
2009183447.tif 000020
【図１９】
2009183447.tif 000021
【図２０】
2009183447.tif 000022
【図２１】
2009183447.tif 000023
【図２２】
2009183447.tif 000024
【図２３】
2009183447.tif 000025